(57)【要約】    【課題】  ３ＧＨｚを越えても誤動作やエラーの発生しない多層プリント配線板を提案する。    【解決手段】  多層コア基板３０の表面の導体層３４Ｐと内層の導体層１６Ｅとの距離Ｄ１と、内層の導体層１６Ｅと金属板１２との距離Ｄ２と、金属板１２と内層の導体層１６Ｐとの距離Ｄ３と、内層の導体層１６Ｐと裏面の導体層３４Ｅとの距離Ｄ４とが均一にする。導体層、金属板を距離が均一になるように配置することで、導体層、金属板相互の相互インダクタンスを一定とし、コア基板３０全体としてのインダクタンス分を下げる。【選択図】  図８
2005183466.tif 000002
【特許請求の範囲】
【請求項１】
複数のスルーホールを有し、複数の絶縁層と導体層とからなる多層金属コア基板上に、両面もしくは片面に層間絶縁層と導体層とが形成され、バイアホールを介して電気的な接続が行われる多層プリント配線板において、
前記多層金属コア基板の各絶縁層の厚みを均一にしたことを特徴とする多層プリント配線板。
【請求項２】
前記多層金属コア基板の隣り合う導体層が、電源層用の導体層とグランド用の導体層の並びであることを特徴とする請求項１の多層プリント配線板。
【請求項３】
前記多層金属コア基板の導体層の厚みは、前記層間絶縁層上の前記導体層の厚みよりも厚いことを特徴とする請求項１の多層プリント配線板。
【請求項４】
前記多層金属コア基板の導体層の厚みを痾１、層間絶縁層上の導体層の厚みを痾２に対して、α２＜α１≦４０α２であることを特徴とする請求項３の多層プリント配線板。
【請求項５】
前記多層金属コア基板の各絶縁層の厚みが、１５〜３００μｍであることを特徴とする請求項１の多層プリント配線板。
【請求項６】
前記多層金属コア基板の導体層は、電源用の導体層もしくはグランド用の導体層を２層以上有することを特徴とする請求項１に記載の多層プリント配線板。
【請求項７】
前記多層金属コア基板のスルーホールは、２つ以上のグランド用スルーホールと２つ以上の電源用スルーホールとを有し、それぞれが隣り合う位置に格子状もしくは千鳥状に配設されていることを特徴とする請求項１の多層プリント配線板。
【請求項８】
前記グランド用スルーホールと前記電源用のスルーホールとの距離は、５０〜５５０μｍの間であることを特徴とする請求項７に記載の多層プリント配線板。
【請求項９】
前記グラント用スルーホール径は５０〜４００μｍであり、前記電源用スルーホール径は５０〜４００μｍであることを特徴とする請求項７に記載の多層プリント配線板。
【発明の詳細な説明】
【技術分野】
【０００１】
この発明は、多層プリント配線板に係り、高周波のＩＣチップ、特に３ＧＨｚ以上の高周波領域でのＩＣチップを実装したとしても誤作動やエラーなどが発生することなく、電気特性や信頼性を向上させることができる多層プリント配線板に関する。
【背景技術】
【０００２】
ＩＣチップ用のパッケージを構成するビルドアップ式の多層プリント配線板では、図１９に示すようにスルーホール３６の設けられたコア基板３０の上面に導体回路３４、導体層３４Ｐ、裏面に導体回路３４、導体層３４Ｅが形成されている。上側の導体層３４Ｐは、電源用のプレーン層として形成され、下側の導体層３４Ｅは、グランド用のプレーン層として形成されている。コア基板３０の表面の導体層３４Ｐ、３４Ｅの上には、バイアホール６０及び導体回路５８の形成された層間絶縁層５０と、バイアホール１６０及び導体回路１５８の形成された層間絶縁層１５０とが配設されている。該バイアホール１６０及び導体回路１５８の上層にはソルダーレジスト層７０が形成されており、該ソルダーレジスト層７０の開口部７１を介して、バイアホール１６０及び導体回路１５８にバンプ７６Ｕ、７６Ｄが形成されている。図示しないＩＣチップは、バンプ７６ＵにＣ４（フリップチップ）実装を行うことにより電気的接続が取られる。
【０００３】
係るビルドアップ式の多層プリント配線板の従来技術としては、特許文献１、特許文献２などがある。ともに、スルーホールを充填樹脂で充填されたコア基板上に、ランドが形成されて、両面にバイアホールを有する層間絶縁層を施して、アディテイブ法により導体層を施し、ランドと接続することにより、高密度化、微細配線の形成された多層プリント配線板を得られる。
【０００４】
【特許文献１】特開平6-260756号公報
【特許文献２】特開平6-275959号公報
【発明の開示】
【発明が解決しようとする課題】
【０００５】
しかしながら、ＩＣチップが高周波になるにつれて、発生するノイズが高くなってきた。特に周波数が３ＧＨｚを越えたあたりから、その度合いが高くなってきている。また、５ＧＨｚを越えるとさらにその傾向は高くなってきた。
そのために、機能すべきはずの動作（例えば、画像の認識、スイッチの切り替え、外部へのデータの伝達などを指す）が遅延したりするなどの不具合で、所望の機能が行えなくなってしまった。
所望の機能が行えないＩＣチップ、基板をそれぞれ非破壊検査や分解したいところ、ＩＣチップ、基板自体には、短絡やオープンなどの問題は発生しておらず、周波数の小さい（特に１ＧＨｚ未満）ＩＣチップを実装した場合には、誤動作やエラーの発生はなかった。
【０００６】
即ち、高周波用ＩＣチップは、間欠的に電力消費を増減させることで、発熱を抑えながら高速演算を可能にしている。例えば、通常数Ｗ程度の消費であるのに、瞬時的に数十Ｗの電力を消費する。この数十Ｗの電力消費の際に、パッケージ基板の電力線のインピーダンスが高いと、消費が増大する電力の立ち上がり時に、供給電圧が下がり、誤動作の原因になっていると考えられる。
【０００７】
本願発明は、高周波領域のＩＣチップ、特に３ＧＨｚを越えても誤動作やエラーの発生しない多層プリント配線板もしくはパッケージ基板を提案することを目的としている。
【課題を解決するための手段】
【０００８】
発明者らは、上記目的の実現に向け鋭意研究した結果、以下に示す内容を要旨構成とする発明に想到した。すなわち、複数のスルーホールを有し、複数の絶縁層と導体層とからなる多層金属コア基板上に、両面もしくは片面に層間絶縁層と導体層とが形成され、バイアホールを介して電気的な接続が行われる多層プリント配線板において、
前記多層金属コア基板の各絶縁層の厚みを均一にしたことを技術的特徴とする。
【０００９】
多層金属コア基板の各絶縁層の厚みを均一にする。これにより、多層金属コア基板の各絶縁層の厚みを均一に配置することで、導体層及び金属板相互の相互インダクタンスを一定とし、コア基板全体としてのインダクタンス分を下げることができる。
また、導体層を電源層として用いることで、ＩＣチップへの電源の供給能力が向上させることができる。導体層をグランド層として用いることで、ＩＣチップへの信号、電源に重畳するノイズを低減させることができる。即ち、導体層のインダクタンス分の低減が、電源の供給も阻害しなくなる。従って、該多層プリント基板上にＩＣチップを実装したときに、ＩＣチップ〜基板〜電源までのループインダクタンスを低減することができる。そのために、初期動作における電源不足が小さくなるため、電源不足が起き難くなり、そのためにより高周波領域のＩＣチップを実装したとしても、初期起動における誤動作やエラーなどを引き起こすことがない。また、多層金属コア基板とすることにより、従来の両面コア基板と比較して導体層の面積を大きくすることができる。さらに、その導体層を電源層もしくはグランド層として用いるのであれば、それぞれの導体層の面積を大きくすることができる。そのために、抵抗を阻害する要因を減らすことになり、電気特性を向上させるのである。
【００１０】
また、多層金属コア基板の隣り合う導体層が、電源層用の導体層とグランド用の導体層の並びであることが望ましい。例えば、表面の導体層が電源用の導体層であるなら隣の内層の第１導体層がグランド層であることが、また、内層の第２導体層が電源用の導体層であるなら隣の裏面の導体層がグランド層であることが好適である。電源層とグランドを隣り合う位置に配置させることにより、それぞれに発生する誘導起電力の方向を相反させ、それぞれの誘導起電力が打ち消される。そのため、ノイズが小さくなり、基板としての機能が低下しない。また、誤動作や遅延がなくなる。言い換えると、相互インダクタンスを小さくすることができるのである。このとき双方の導体層間の距離は、出来るだけ短い方が望ましい。つまり、距離を短くすることで相対的なインダクタンス分を小さくすることができるのである。
【００１１】
電源層（もしくはグランド層）の隣り合う導体層には、グランド層（もしくは電源層）であり、もう一方の導体層には、別のグランド層（もしくは電源層）を配置させることが望ましい。電源層の導体層およびグランド層の導体層を配置することで、コア基板全体としてもインダクタンスを低減することができる。
【００１２】
なお、多層金属コア基板の絶縁層の厚みは１５〜３００μｍであることが望ましい。１５μｍ未満では絶縁を保つことが難しく、電気接続性に問題を起こし、３００μｍ以上にすると、多層金属コア基板が厚くなって、スルーホールが長くなり、スルーホールでのインダクタンスが増大するからである。また、導体層間における距離での相対的なインダクタンスの低下が相殺されてしまい、その効果が現れなくなる。絶縁層の厚みが３０〜２５０μｍであることが更に望ましい。その間であれば、インダクタンスを低下させることができるし、導体回路間の絶縁が確保されるからである。
【００１３】
この場合、コア基板に形成されるグランド（ＧＮＤ）層の導体厚みおよび電源（ＶＣＣ）層の導体厚みを厚くすることが望ましい。その厚みは２５μｍを超えることが望ましい。特に、コア基板の導体層の厚みは、層間絶縁層上の導体層の厚みよりも厚いことがさらに望ましい。
【００１４】
コア基板の導体層の厚みを厚くすることにより、コア基板の電源層の導体層が厚くなることにより、コア基板の強度が増す、それによりコア基板自体を薄くしたとしても、反りや発生した応力を基板自体で緩和することが可能となる。
また、導体自体の体積を増やすことができる。その体積を増やすことにより、導体での抵抗が低減することができる。そのため流れる信号線などの電気的な伝達などを阻害しなくなる。従って、伝達される信号などに損失を起こさない。それは、コアとなる部分の基板だけを厚くすることにより、その効果を奏する。
さらに、導体層を電源層として用いることで、ＩＣチップへの電源の供給能力が向上させることができる。また、導体層をグランド層として用いることで、ＩＣチップへの信号、電源に重畳するノイズを低減させることができる。即ち、導体の抵抗の低減が、電源の供給も阻害しなくなる。従って、該多層プリント基板上にＩＣチップを実装したときに、ＩＣチップ〜基板〜電源までのループインダクタンスを低減することができる。そのために、初期動作における電源不足が小さくなるため、電源不足が起き難くなり、そのためにより高周波領域のＩＣチップを実装したとしても、初期起動における誤動作やエラーなどを引き起こすことがない。
また、ＩＣチップ〜基板〜コンデンサもしくは電源層〜電源を経て、ＩＣチップに電源を供給する場合にも、同様の効果を奏する。前述のループインダクタンスを低減することができる。
【００１５】
特に、コア基板の電源層として用いられる導体層の厚みが、コア基板の片面もしくは両面上の層間絶縁層上に導体層の厚みより、厚いときに、上記効果を最大限にさせることができるのである。この場合の層間絶縁層上の導体層とは、絶縁層の中に心材を含浸されていない樹脂で形成された層間絶縁層に、層間を接続させるための非貫通孔であるバイアホールを形成したものにめっき、スパッタなどを経て形成された導体層を主として意味する。これ以外にも特に限定されないがバイアホールを形成されたものであれば、上記の導体層に該当する。
【００１６】
コア基板の電源層は、基板の表層、内層もしくは、その両方に配置させてもよい。内層の場合は、２層以上に渡り多層化してもよい。基本的には、コア基板の電源層は層間絶縁層の導体層よりも厚くなっていれば、その効果を有するのである。ただ、内層に形成することが望ましい。
【００１７】
コア基板の導体層の厚みをα１、層間絶縁層上の導体層の厚みをα２に対して、α２＜α１≦４０α２とすることが望ましい。
α１≦α２の場合は、電源不足に対する効果が全くない。つまり、いいかえると初期動作時に発生する電圧降下に対して、その降下度を抑えるということが明確にならないということである。
α１＞４０α２を越えた場合についても検討を行ったが、基本的には電気特性は、１０α２とほぼ同等である。つまり、効果の臨界点であると理解できる。これ以上厚くしても、電気的な効果の向上は望めない。ただ、この厚みを越えると、コア基板の表層に導体層を形成した場合に、コア基板と接続を行うランド等を形成するのに困難が生じてしまう。更に、上層の層間絶縁層を形成すると、凹凸が大きくなってしまい、層間絶縁層にうねりを生じてしまうために、インピーダンスを整合することができなくなってしまう。
【００１８】
導体層の厚みα１は、１．２α２≦α１≦２０α２であることがさらに望ましい。その範囲であれば、電源不足（電圧降下）によるＩＣチップの誤動作やエラーなどが発生しないことが確認されている。多層金属コア基板では、内層の導体の厚みが表層の導体の厚みより厚い方が好ましい。電源不足に対する効果は各導体層の和なので、表層の導体層を厚くすることでも解消できる。しかし、表層の導体層を厚くすると、多層金属コア基板の表層に導体層を形成した場合に多層金属コア基板と接続を行うランド等の形成に困難が生じる。さらに、上層の層間絶縁層を形成すると、凹凸が大きくなってしまい、層間絶縁層にうねりを生じてしまうために、インピーダンスを整合することが出来なくなってしまう。
【００１９】
多層金属コア基板では、２層のＧＮＤ層或いはＶＣＣ層を形成し、その層に介在して、ＶＣＣ層或いはＧＮＤ層を形成したものがよい。さらに、ＧＮＤ層（或いはＶＣＣ層）と、ＶＣＣ層（或いはＧＮＤ層）との各距離は均一であることがよい。それにより、双方のインダクタンスを低下させる作用が均一に働くために、総合的なインダクタンスを下げやすいからである。更に、インピーダンス整合が取りやすく、電気特性を向上させることができる。
【００２０】
ＧＮＤ層とＶＣＣ層との距離（絶縁層の厚み）は１５〜３００μｍの間であることが望ましい。１５μｍ未満では、材料に係らず、絶縁性を確保することが困難になりやすいし、ヒートサイクルなどの信頼性試験を実施すると、導体層同士での短絡を引き起こすこともある。３００μｍを超えると、インダクタンスを低下させる効果が低減されてしまう。つまり、距離が離れているためにより、相互インダクタンスの効果が相殺されてしまうのである。ＧＮＤ層とＶＣＣ層との距離は３０〜２５０μｍの間であることが更に望ましい。その間であれば、インダクタンスを低下させることができるし、導体回路間の絶縁性が確保されるからである。
【００２１】
ＧＮＤ層およびＶＣＣ層ともに導体層の厚みが厚くすることがよい。その双方の体積を増やすことにより、抵抗値低減の効果を得やすいからである。その導体の厚みは、２５〜３００μｍであることが望ましい。２５μｍ未満では、抵抗値の低減効果が薄くなりやすい。３００μｍを超えると、その上層に形成される信号線などの導体回路にうねりを生じてしまうことがあり、インピーダンスの整合という点で問題を引き起こしてしまう。基板自体の薄膜化という要求に対して、基板自体が厚くなることになり答えられない。
【００２２】
コア基板の材料は、樹脂基板で検証を行ったが、セラミック基板でも同様の効果を奏することがわかった。また、導体層の材質も銅からなる金属で行ったが、その他の金属でも、効果が相殺されて、誤動作やエラーが発生が増加するということは確認されていないことから、コア基板の材料の相違もしくは導体層を形成する材質の相違には、その効果の影響はないものと思われる。より望ましいのは、コア基板の導体層と層間絶縁層の導体層とは、同一金属で形成されることである。電気特性、熱膨張係数などの特性や物性が変わらないことから、この効果を奏することができる。
【００２３】
さらに、多層金属コア基板のスルーホールは、２つ以上のグランド用スルーホールと２つ以上の電源用スルーホールを有し、それぞれが隣り合う位置に格子状もしくは千鳥状に配設されていることが望ましい。
【００２４】
それぞれ対角する位置に、グランド（あるいは電源）を配置し、それ以外の位置に、電源（あるいはグランド）を配置させる。その構成により、Ｘ方向およびＹ方向での誘導起電力の打ち消しがなされる。
【００２５】
それぞれ対角する位置に、グランド（あるいは電源）を配置し、それ以外の位置に、電源（あるいはグランド）を配置させる。その構成により、Ｘ方向およびＹ方向での誘導起電力の打ち消しがなされる。
これをスルーホールを格子状に配置した例を模式的に示す図１１（Ａ）を参照して説明をする。格子状に配設されたスルーホールにおいて、グランド用スルーホールＧＮＤ１の等間隔で、電源用スルーホールＶＣＣ１、ＶＣＣ２を配置させて、グランド用スルーホールＧＮＤ１の対角線上に、電源用スルーホールＧＮＤ２を配設させる。この４芯（カッド）構造にすることにより、ひとつグランド用スルーホールＧＮＤ（もしくは電源用スルーホールＶＣＣ）に対して、ふたつの電源用スルーホールＶＣＣ（もしくはグランド用スルーホールＧＮＤ）による誘導起電力の打ち消しがなされる。そのために、スルーホールでの相互インダクタンスを小さくすることができ、誘導起電力の影響を受けないので、誤作動や遅延などが発生しにくくなるのである。
【００２６】
また、スルーホールを千鳥状に配置した例を模式的に示す図１１（Ｂ）を参照して説明をする。千鳥状に配設されたスルーホールにおいて、グランド用スルーホールＧＮＤ１の等間隔で、グランド用スルーホールＧＮＤ２、ＧＮＤ３を配置させて、グランド用スルーホールＧＮＤ２と同一距離間に電源用スルーホールＶＣＣ１、ＶＣＣ２を配設させる。この構造にすることにより、ひとつグランド用スルーホールＧＮＤ（もしくは電源用スルーホールＶＣＣ）に対して、ふたつの電源用スルーホールＶＣＣ（もしくはグランド用スルーホールＧＮＤ）による誘導起電力の打ち消しがなされる。そのために、スルーホールの相互インダクタンスを小さくすることができ、誘導起電力の影響を受けないので、誤作動や遅延などが発生しにくくなるのである。
【００２７】
格子状に配列させることが千鳥状に配列させることよりも、インダクタンスを低下させることができるのである。２以上の同じ数をグランド用のスルーホールと電源用のスルーホールを配設させたときでも、格子にすると、ひとつのグランド用スルーホールＧＮＤ（もしくは電源用スルーホールＶＣＣ）に対して、最大４箇所を等間隔で配列させることが可能となるし、相反する電源用スルーホールＶＣＣも同様に最大４箇所を等間隔で配列させることができ、それぞれで誘導起電力を打ち消しあうため、相互インダクタンスを低下させることができるのである。
【００２８】
元々グランド用スルーホールＧＮＤおよび電源用スルーホールＶＣＣは、磁界などの影響を受けやすい。そのために、ＩＣチップの高周波、高速化になるとインダクタンスが増加してしまうために、基板としての動作に問題を引き起こしてしまう。そのために、グランド用スルーホールＧＮＤおよび電源用スルーホールＶＣＣのインダクタンスの影響を抑えるための配置を考慮する必要性がある。例えば、高密度化の要求（高密度化、微細配線）に対して、単にスルーホールを狭く配置させればよいというものではない。上記のように配列させることがそれぞれのインダクタンスを低減させることができるのである。
【００２９】
グランド用スルーホールと電源用のスルーホールとの距離（図１１（Ｃ）中に示すピッチ：グランド用スルーホールＧＮＤの中心と電源用スルーホールＶＣＣの中心との距離）は、６０〜６００μｍの間であることが望ましい。スルーホールとスルーホールの壁間の距離を短くすることにより、相互インダクタンスを低下させることができるのである。このとき、６０μｍ未満のときは、スルーホール間の絶縁ギャップを確保することができず、短絡などの不具合を引き起こしてしまう。また、絶縁ギャップ等が起因となり、相互インダクタンスを設計許容値の範囲にすることが難しくなったりしてしまうこともある。６００μｍを超える相互インダクタンスを低下させる効果が低減してしまう。６０〜５５０μｍの間であれば、スルーホールで絶縁ギャップが確保でき、相互インダクタンスを低下させることができ、電気特性を向上させることができる。
【００３０】
グラント用スルーホール径（図１１（Ｃ）に示すスルーホールの外径）は５０〜５００μｍであり、同様に電源用スルーホール径は５０〜５００μｍであることが望ましい。
５０μｍ未満では、スルーホール内に導体層を形成することが困難となりやすい。また、自己インダクタンスが高くなる。
５００μｍを超えると、１本当たりの自己インダクタンス分は低下させれるが、限られた領域内に配置できるグランド線、電源線の数が減り、グランド線、電源線を多線化することによる全体としてのインダクタンスの低減が図り得なくなる。特に、格子や千鳥状に配列させた場合に、スルーホールピッチによっては、短絡などの不具合が起きるからである。つまり、スルーホールを形成すること自体が困難になるからである。
７５〜４８５μｍの間で形成させることがさらに望ましい。その間であれば、自己インダクタンスを低下させることができ、配線数を増やすことで全体としてのインダクタンスを下げ、電気特性を向上させることができる。更に、スルーホールピッチを狭ピッチにすることができる。
【００３１】
スルーホールは、１つもしくは２つ以上スルーホール直上もしくはスルーホールのランド上から最外層まで全層スタック構造であることが望ましい。スルーホール直上に形成させることが望ましい。該スルーホールの接続は、スルーホール上に蓋めっきなどにより蓋構造からなるランドを形成し、その上にバイアホールをスタック状に形成されるビアオンスルーホールかつ、スタック構造であることがＩＣチップから外部端子もしくはコンデンサまで直線上となって、最短距離になり、インダクタンスをより小さくすることができるからである。その場合には、格子状もしくは千鳥上で、ＧＮＤ用のスルーホールおよびＶＣＣ用のスルーホールを形成させることであることがさらに望ましい。理想は、格子状もしくは千鳥状に配列されたスルーホールの４ヶ所全てがスタック構造にすることである。
【００３２】
グラント用スルーホールおよび電源用スルーホールは、ＩＣチップの直下に配設されることが望ましい。
ＩＣチップの直下に配置させることにより、ＩＣと外部端子もしくはコンデンサとの距離を短くすることができ、インダクタンスを低減させることが可能になる。
【００３３】
この場合のコア基板とは、ガラスエポキシ樹脂などの芯材が含浸した樹脂基板、セラミック基板、金属基板、樹脂、セラミック、金属を複合して用いた複合コア基板、それらの基板の内層に（電源用）導体層が設けられた基板、３層以上の多層化した導体層が形成された多層金属コア基板を用いることができる。
電源層の導体の厚みを、厚くするために、金属を埋め込まれた基板上に、めっき、スパッタなどの一般的に行われる導体層を形成するプリント配線板の方法で形成したものを用いてもよい。
【００３４】
多層金属コア基板では、コア基板の外層と内層の導体層をそれぞれ足した厚みが、コアの導体層の厚みとなる。必要に応じて、コア基板の内層にコンデンサや誘電体層、抵抗などの部品を埋め込み、形成させた電子部品収納コア基板を用いてもよい。コアの絶縁材を誘電体材料にしてもよい。
【００３５】
本願発明でのコア基板とは、以下のように定義される。芯材等が含浸された硬質基材であり、その両面もしくは片面に、芯材などを含まない絶縁樹脂層を用いて、フォトビアもしくはレーザによりバイアホールを形成して、導体層を形成して、層間の電気接続を行うときのものである。相対的に、コア基板の厚みは、樹脂絶縁層の厚みよりも厚いものである。基本的には、コア基板は電源層を主とする導体層が形成されて、その他信号線などは表裏の接続を行うためだけに形成されている。
【００３６】
なお、同一厚みの材料で形成されたもので、積層された多層プリント配線板であるならば、プリント基板における導体層として電源層を有する層もしくは基板をコア基板として定義される。
【発明の効果】
【００３７】
本願発明では、多層金属コア基板の第１絶縁層、第２絶縁層、第３絶縁層、第４絶縁層の厚みを均一にする。これにより、表面の導体層と内層の第１導体層との間の距離Ｄ１、第１導体層と金属板との間の距離Ｄ２、金属板と内層の第２導体層との距離Ｄ３、内層の第２導体層と裏面の導体層との間の距離Ｄ４とを均一距離に配置することで、導体層及び金属板相互の相互インダクタンスを一定とし、全体としてのインダクタンス分を下げることができる。このため、導体層を電源層として用いることで、ＩＣチップへの電源の供給能力が向上させることができる。また、導体層をグランド層として用いることで、ＩＣチップへの信号、電源に重畳するノイズを低減させることができる。
【発明を実施するための最良の形態】
【００３８】
図１〜図９を参照して本発明の第１実施例に係る多層プリント配線板について説明する。
[第１実施例−１]  
先ず、第１実施例に係る多層プリント配線板１０の構成について、図８、図９を参照して説明する。図８は、該多層プリント配線板１０の断面図を、図９は、図８に示す多層プリント配線板１０にＩＣチップ９０を取り付け、ドータボード９４へ載置した状態を示している。図８に示すように、多層プリント配線板１０では多層金属コア基板３０を用いている。多層金属コア基板３０の中央には、電気的に隔絶された金属板１２が収容されている。該金属板１２は、心材としての役目も果たしているが、スルーホールやバイアホールなどどの電気な接続がされていない。主として、基板の反りに対する剛性を向上させているのである。また、金属板に３６合金、４２合金等の低熱膨張材を使うと多層プリント配線板の熱膨張係数をＩＣに近づけることができ応力を緩和できる。該金属板１２に、表面側絶縁樹脂層（第１絶縁層）１４ａを介して表面側に内層の第１導体層１６Ｅ、裏面側絶縁樹脂層（第２絶縁層）１４ｂを介して裏面側に内層の第２導体層１６Ｐが配置されている。更に、内層の第１導体層１６Ｅ上に表面側絶縁樹脂層（第３絶縁層）１８ａを介して導体回路３４、表面側の導体層３４Ｐが、内層の第２導体層１６Ｐ上に裏面側絶縁樹脂層（第４絶縁層）１８ｂを介して導体回路３４、裏面側の導体層３４Ｅが形成されている。表面側の導体層３４Ｐは、電源用のプレーン層として形成され、裏面側の導体層３４Ｅは、グランド用のプレーン層として形成されている。表面側の内層の導体層１６Ｅは、グランド用のプレーン層として形成され、裏面側の内層の導体層１６Ｐは、電源用のプレーン層として形成されている。電源用のプレーン層３４Ｐ、１６Ｐとの接続は、電源用スルーホール３６Ｐやバイアホールにより行われる。グランド用のプレーン層３４Ｅ、１６Ｐとの接続は、グランド用スルーホール３６Ｅやバイアホールにより行われる。多層金属コア基板３０の上下での信号の接続は、信号用スルーホール３６Ｓ、バイアホールにより行われる。プレーン層は、片側だけの単層であっても、２層以上に配置したものでもよい。２層〜６層で形成されることが望ましい。７層以上では電気的な特性の向上が確認されていないことからそれ以上多層にしてもその効果は６層と同等程度である。特に、４層で形成されることが、電気特性、基板の平坦性に優れる。
【００３９】
多層金属コア基板３０の表面の導体層３４Ｐ、裏面の導体層３４Ｅの上には、バイアホール６０及び導体回路５８の形成された層間絶縁層５０と、バイアホール１６０及び導体回路１５８の形成された層間絶縁層１５０とが配設されている。該バイアホール１６０及び導体回路１５８の上層にはソルダーレジスト層７０が形成されており、該ソルダーレジスト層７０の開口部７１を介して、バイアホール１６０及び導体回路１５８にバンプ７６Ｕ、７６Ｄが形成されている。
【００４０】
図９中に示すように、多層プリント配線板１０の上面側のバンプ７６Ｕは、ＩＣチップ９０の信号用ランド９２Ｓ、電源用ランド９２Ｐ、グランド用ランド９２Ｅへ接続される。更に、チップコンデンサ９８が実装される。一方、下側の外部端子７６Ｄは、ドータボード９４の信号用ランド９６Ｓ、電源用ランド９６Ｐ、グランド用ランド９６Ｅへ接続されている。この場合における外部端子とは、ＰＧＡ、ＢＧＡ，半田バンプ等を指している。
【００４１】
ここで、図８に示すように多層金属コア基板３０では、多層金属コア基板の第１絶縁層（表面側絶縁樹脂層１４ａ）、第２絶縁層（裏面側絶縁樹脂層１４ａ）、第３絶縁層（表面側絶縁樹脂層１８ａ）、第４絶縁層（裏面側絶縁樹脂層１８ｂ）の厚みが略均一である。これにより、表面の導体層３４Ｐと内層の第１導体層１６Ｅとの間の距離Ｄ１、第１導体層１６Ｅと金属板１２との間の距離Ｄ２、金属板１２と内層の第２導体層１６Ｐとの距離Ｄ３、内層の第２導体層１６Ｐと裏面の導体層３４Ｅとの間の距離Ｄ４とを均一距離にすることで、導体層１６Ｅ、１６Ｐ、３４Ｅ、３４Ｐ及び金属板１２相互の相互インダクタンスを一定とし、コア基板３０全体としてのインダクタンス分を下げることができる。このため、導体層３４Ｐ、１６Ｐを電源層として用いることで、ＩＣチップ９０への電源の供給能力が向上させることができる。また、導体層３４Ｅ、１６Ｅをグランド層として用いることで、ＩＣチップ９０への信号、電源に重畳するノイズを低減させることができる。即ち、導体層のインダクタンス分の低減が、電源の供給も阻害しなくなる。従って、該多層プリント基板上にＩＣチップを実装したときに、ＩＣチップ〜多層プリント配線板〜電源までのループインダクタンスを低減することができる。そのために、初期動作における電源不足が小さくなるため、電源不足が起き難くなり、そのためにより高周波領域のＩＣチップを実装したとしても、初期起動における誤動作やエラーなどを引き起こすことがない。
【００４２】
なお、多層金属コア基板３０の導体層間の距離（絶縁層の厚み）Ｄ１、Ｄ２、Ｄ３、Ｄ４は１５〜３００μｍであることが望ましい。１５μｍ未満では、絶縁を保つことが難しく、３００μｍを越えると、導体層間同士でのインダクタンスを低減する効果が相殺されるし、多層金属コア基板の厚みが厚くなって、スルーホールが長くなり、スルーホールでのインダクタンスが増大するからである。この一例として、導体層間の距離（絶縁層の厚み）を２２０μｍで形成させた。
【００４３】
図１０に図８の多層プリント配線板１０のＸ−Ｘ横断面を示す。即ち、図１０では、多層金属コア基板３０の断面を示している。図中で、理解の便宜のため、電源用スルーホール３６Ｐには上向きの印（図中中央の黒丸）、グランド用スルーホール３６Ｅには下向きの印（図中の＋）を付けてあり、信号用スルーホール３６Ｓには何も印を付けていない。図１１（Ａ）は、図１０（Ａ）中に点線Ｉ部を拡大して示す説明図である。第１実施形態では、電源用スルーホール３６Ｐとグランド用スルーホール３６Ｅとが、隣り合う位置に格子状に配置されている。即ち、それぞれ対角する位置に、グランド（あるいは電源）を配置し、それ以外の位置に、電源（あるいはグランド）を配置させる。その構成により、Ｘ方向およびＹ方向での誘導起電力の打ち消しがなされる。
【００４４】
図１１（Ａ）を参照して上述したように格子状に配設されたスルーホールにおいて、グランド用スルーホール３６Ｅ（ＧＮＤ１）の等間隔で、電源用スルーホール３６Ｐ（ＶＣＣ１、ＶＣＣ２）を配置させて、ＧＮＤ１の対角線上に、グランド用スルーホール３６Ｅ（ＧＮＤ２）を配設させる。この４芯（カッド）構造にすることにより、ひとつＧＮＤ（もしくはＶＣＣ）に対して、ふたつのＶＣＣ（もしくはＧＮＤ）による誘導起電力の打ち消しがなされる。そのために、相互インダクタンスを小さくすることができ、誘導起電力の影響を受けないのでノイズの影響を軽減でき、更に、インダクタンス分を下げることで、間欠的に電力消費量が増減するＩＣチップに対して、電力消費が増大する際にも電圧降下が生じず、誤作動や遅延などが発生しにくくなる。
【００４５】
更に、図８に示すように多層金属コア基板３０の中央に配置された電源用スルーホール３６Ｐとグランド用スルーホール３６Ｅとは、スルーホールの直上にバイアホール６０及びバイアホール１６０が設けられるスタック構造となっている。該スルーホール３６Ｅ、３６Ｐとバイアホール６０との接続は、スルーホール３６Ｅ、スルーホール３６Ｐ上に蓋めっきなどにより蓋構造からなるランド２５を形成し、その上にバイアホール６０をスタック状に形成される。更に、上側のバイアホール６０の直上にバイアホール１６０を設け、該バイアホール１６０が、ＩＣチップ９０の電源用ランド９２Ｅ、グランド用ランド９２Ｅにバンプ７６Ｕを介して接続されている。同様に、下側バイアホール６０の直下にバイアホール１６０を設け、該バイアホール１６０が、ドータボード９４の電源用ランド９６Ｐ、グランド用ランド９６Ｅにバンプ７６Ｄを介して接続されている。
【００４６】
ビアオンスルーホールかつ、スタック構造であることがＩＣチップ９０からドータボードのバンプ（外部端子）７６Ｅ、７６Ｐもしくは図示しないコンデンサまで直線上となり、最短距離となり、インダクタンスをより小さくすることができるからである。その場合には、理想的は、格子状に配列されたスルーホールの４ヶ所全てがスタック構造にする。
【００４７】
スルーホール３６Ｅ、３６Ｐ、３６Ｓ間の距離（ピッチ）は、６０〜６００μｍに設定し、信号用スルーホール径３６Ｓ（外径）を５０〜５００μｍで形成させた。グランド用スルーホール３６Ｅと電源用スルーホール３６Ｐ間の距離（ピッチ）は、６０〜６００μｍに設定し、グランド用スルーホール３６Ｅ径（外径）を５０〜５００μｍで、電源用スルーホール３６Ｐの径を５０〜５００μｍで形成させた。スルーホール３６Ｅ、３６Ｐ、３６Ｓは、コア基板３０に形成した通孔の導体層を形成させ、その空隙内に絶縁樹脂を充填させた。それ以外にも、導電性ペーストもしくはめっきなどにより、スルーホール内を完全に埋めても良い。
【００４８】
グラント用スルーホール３６Ｅおよび電源用スルーホール３６Ｐは、ＩＣチップ９０の直下に配設されている。ＩＣチップ９０の直下に配置させることにより、ＩＣ９０とドータボード９４のバンプ（外部端子）９６Ｅ、９６Ｐもしくは図示しないコンデンサとの距離を短くすることができる。そのためにインダクタンスを低減させれる。
【００４９】
ここで、コア基板３０表層の導体層３４Ｐ、３４Ｅは、厚さ７．５〜７５μｍに形成され、内層の導体層１６Ｐ、１６Ｅは、厚さ１５〜３００μｍに形成され、層間絶縁層５０上の導体回路５８及び層間絶縁層１５０上の導体回路１５８は５〜２５μｍに形成されている。
【００５０】
第１実施例の多層プリント配線板では、コア基板３０の表層の電源層（導体層）３４Ｐ、導体層３４、内層の電源層（導体層）１６Ｐ、導体層１６Ｅおよび金属板１２を厚くすることにより、コア基板の強度が増す。それによりコア基板自体を薄くしたとしても、反りや発生した応力を基板自体で緩和することが可能となる。
【００５１】
また、導体層３４Ｐ、３４Ｅ、導体層１６Ｐ、１６Ｅを厚くすることにより、導体自体の体積を増やすことができる。その体積を増やすことにより、導体での抵抗を低減することができる。
【００５２】
更に、コンデンサ９８を実装することにより、コンデンサ内の蓄積されている電源を補助的に用いることができるので、電源不足を起しにくくなる。
【００５３】
第１実施例では、多層金属コア基板３０は、内層に厚い導体層１６Ｐ、１６Ｅを、表面に薄い導体層３４Ｐ、３４Ｅを有し、内層の導体層１６Ｐ、１６Ｅと表面の導体層３４Ｐ、３４Ｅとを電源層用の導体層、グランド用の導体層として用いる。即ち、内層側に厚い導体層１６Ｐ、１６Ｅを配置しても、導体層を覆う絶縁層が形成されている。そのために、導体層が起因となって凹凸を相殺させることで多層金属コア基板３０の表面を平坦にすることができる。このため、層間絶縁層５０、１５０の導体層５８、１５８にうねりを生じせしめないように、多層金属コア基板３０の表面に薄い導体層３４Ｐ、３４Ｅを配置しても、内層の導体層１６Ｐ、１６Ｅと足した厚みでコアの導体層として十分な厚みを確保することができる。うねりが生じないために、層間絶縁層上の導体層のインピーダンスに不具合が起きない。導体層１６Ｐ、３４Ｐを電源層用の導体層として、導体層１６Ｅ、３４Ｅをグランド用の導体層として用いることで、多層プリント配線板の電気特性を改善することが可能になる。
【００５４】
即ち、コア基板の内層の導体層１６Ｐ、１６Ｅの厚みを、層間絶縁層５０、１５０上の導体層５８、１５８よりも厚くする。これにより、多層金属コア基板３０の表面に薄い導体層３４Ｅ、３４Ｐを配置しても、内層の厚い導体層１６Ｐ、１６Ｅと足すことで、コアの導体層として十分な厚みを確保できる。その比率は、１＜（コア基板の導体層の厚みの総和／層間絶縁層の導体層）≦４０であることが望ましい。１．２≦（コア基板の導体層の厚みの総和／層間絶縁層の導体層）≦２０であることがさらに望ましい。さらにこの場合、コア基板の電源層としての役割を果たしている導体層の総和が層間絶縁層の導体層との比率が上記関係であることが望ましい。つまり、１＜（コア基板の電源導体層の厚みの総和／層間絶縁層の導体層）≦４０であることが望ましい。１．２≦（コア基板の電源導体層の厚みの総和／層間絶縁層の導体層）≦２０であることがさらに望ましい。それにより、インダクタンスを低下させることができ、ＩＣチップの誤動作などを引き起こし難くするのである。
【００５５】
多層金属コア基板３０は、電気的に隔絶された金属板１２の両面に、絶縁層１４を介在させて内層の導体層１６Ｐ、１６Ｅが、更に、当該内層の導体層１６Ｐ、１６Ｅの外側に絶縁層１８を介在させて表面の導体層３４Ｐ、３４Ｅが形成されて成る。中央部に電気的に隔絶された金属板１２を配置することで、十分な機械的強度を確保することができる。また、金属板１２に３６合金、４２合金等の低熱膨張材を用いると、樹脂基板の熱膨張係数を下げることができるので、ＩＣ等の電子部品の熱膨張係数に近づけることができる。更に、金属板１２の両面に絶縁層１４を介在させて内層の導体層１６Ｐ、１６Ｅを、更に、当該内層の導体層１６Ｐ、１６Ｅの外側に絶縁層１８を介在させて表面の導体層３４Ｐ、３４Ｅを形成することで、金属板１２の両面で対称性を持たせ、ヒートサイクル等において、反り、うねりが発生することを防げる。
【００５６】
図１０（Ｂ）は、第１実施例の改変例に係るスルーホール配置を示している。図１１（Ｂ）は、図１０（Ｂ）中の中に点線ＩＩ部を拡大して示す説明図である。第１実施形態の改変例では、電源用スルーホール３６Ｐとグランド用スルーホール３６Ｅとが、隣り合う位置に千鳥状に配置されている。即ち、それぞれ対角する位置に、グランド（あるいは電源）を配置し、それ以外の位置に、電源（あるいはグランド）を配置させる。その構成により、Ｘ方向およびＹ方向での誘導起電力の打ち消しがなされる。
【００５７】
即ち、図１１（Ｂ）を参照して上述したように、千鳥状に配設されたスルーホール３６Ｐ、３６Ｅにおいて、ＧＮＤ１の等間隔で、ＧＮＤ２、ＧＮＤ３を配置させて、ＧＮＤ２の同一距離間、ＶＣＣ１、ＶＣＣ２を配設させる。この構造にすることにより、ひとつＧＮＤ（もしくはＶＣＣ）に対して、ふたつのＶＣＣ（もしくはＧＮＤ）による誘導起電力の打ち消しがなされる。そのために、相互インダクタンスを小さくすることができ、誘導起電力の影響を受けないので、誤作動や遅延などが発生しにくくなるのである。
【００５８】
引き続き、図８に示す多層プリント配線板１０の製造方法について図１〜図７を参照して説明する。
（１）金属層の形成
図１（Ａ）に示す厚さ５０〜４００μｍの間の内層金属層（金属板）１２に、表裏を貫通する開口１２ａを設ける（図１（Ｂ））。金属層の材質としては、銅、ニッケル、亜鉛、アルミニウム、鉄などの金属やそれらの合金を用いることができる。開口１２ａは、パンチング、エッチング、ドリリング、レーザなどによって穿設する。場合によっては、開口１２ａを形成した金属層１２の全面に電解めっき、無電解めっき、置換めっき、スパッタによって、金属膜１３を被覆してもよい（図１（Ｃ））。なお、金属板１２は、単層でも、２層以上の複数層でもよい。また、金属膜１３は、曲面を形成するほうが望ましい。それにより、応力の集中するポイントがなくなり、その周辺でのクラックなどの不具合が引き起こしにくい。
【００５９】
（２）内層絶縁層の形成
金属層１２の全体を覆い、開口１２ａ内を充填するために、絶縁樹脂を用いる。形成方法としては、例えば、厚み１５〜３００μｍ程度のＢステージ状の樹脂フィルムを金属板１２で挟んでから、熱圧着してから絶縁樹脂層（絶縁層）１４ａ、１４ｂを形成することができる（図１（Ｄ））。更に、樹脂に無機フィラーを分散させた方がよい。場合によっては、塗布、塗布とフィルム圧着の混合、もしくは閑口部分だけを塗布して、その後、フィルムで形成してもよい。
金属板に積層する材料としては、ポリイミド樹脂、エポキシ樹脂、フェノール樹脂、ＢＴ樹脂等の熱硬化性樹脂をガラスクロスやガラス不織布等の心材に含浸させたプリプレグを用いることが望ましい。この場合にガラス、アルミナ、ジルコニア等の無機フィラーを分散してもよい。それ以外にも樹脂を用いてもよい。
【００６０】
（３）金属箔の貼り付け
絶縁層１４ａ、１４ｂで覆われた金属層１２の両面に、内層金属層１６αを形成させる（図１（Ｅ））。その一例として、厚み１２〜２７５μｍの金属箔を積層させた。金属箔を形成させる以外の方法として、片面銅箔付きプリプレグを積層させる。片面銅箔付きプリプレグの絶縁層としては上記（２）の工程と同じものを用いることができる。
【００６１】
（４）内層金属層の回路形成
２層以上にしてもよい。アディティブ法により金属層を形成してもよい。
テンティング法、エッチング工程等を経て、内層金属層１６αから内層導体層１６、１６Ｐ、１６Ｅを形成させた（図１（Ｆ））。このときの内層導体層の厚みは、７．５〜２５０μｍで形成させた。しかしながら、上述の範囲を超えてもよい。
【００６２】
（５）外層絶縁層の形成
内層導体層１６、１６Ｐ、１６Ｅの全体を覆い、その回路間の隙間を充填するために、絶縁樹脂を用いる。形成方法としては、例えば、厚み１５〜３００μｍ程度のＢステージ状の樹脂フィルムを内層導体層１６、１６Ｐ、１６Ｅを挟んでから、熱圧着して外層絶縁絶縁層１８ａ、１８ｂを形成する（図２（Ａ））。場合によっては、塗布、塗布とフィルム圧着の混合、もしくは開口部分だけを塗布して、その後、フィルムで形成してもよい。加圧することで表面を平坦にすることができる。
内層導体層に積層する材料としては、ポリイミド樹脂、エポキシ樹脂、フェノール樹脂、ＢＴ樹脂等の熱硬化性樹脂をガラスクロスやガラス不織布等の心材に含浸させたプリプレグを用いることが望ましい。この場合にガラス、アルミナ、ジルコニア等の無機フィラーを分散してもよい。それ以外にも樹脂を用いてもよい。
【００６３】
（６）最外層の金属箔の貼り付け
外層絶縁層１８ａ、１８ｂで覆われた基板の両面に、最外層の金属層３４αを形成させる（図２（Ｂ））。その一例として、厚み１０〜２７５μｍの金属箔を積層させる。金属箔を形成させる以外の方法として、片面銅箔付きプリプレグを積層させる。金属箔上に、めっきなどで２層以上にしてもよい。アディティブ法により金属層を形成してもよい。片面銅箔付きプリプレグとしては上記（２）の工程と同じものを用いることができる。
【００６４】
（７）スルーホール形成
基板の表裏を貫通する開口径５０〜４００μｍのスルーホール用通孔３６αを形成する（図２（Ｃ））。形成方法としては、ドリル、レーザもしくはレーザとドリルの複合により形成させる（最外層の絶縁層の開口をレーザで行い、場合によっては、そのレーザでの開口をターゲットマークとして用いて、その後、ドリルで開口して貫通させる）。形状としては、直線状の側壁を有するものであることが望ましい。場合によっては、テーパ状であってもよい。
【００６５】
スルーホールの導電性を確保するために、スルーホール用通孔３６α内にめっき膜２２を形成（無電解めっき、電解めっきなどで形成させる）し、表面を粗化した後（図２（Ｄ））、充填樹脂２３を充填することが望ましい（図２（Ｅ））。充填樹脂としては、電気的な絶縁されている樹脂材料、（例えば  樹脂成分、硬化剤、粒子等が含有されているもの）、金属粒子による電気的な接続を行っている導電性材料（例えば、金、銅などの金属粒子、樹脂材料、硬化剤などが含有されているもの。）のいずれかを用いることができる。
めっきとしては、電解めっき、無電解めっき、パネルめっき（無電解めっきと電解めっき）などを用いることができる。金属としては、銅、ニッケル、コバルト、リン、等が含有してもので形成されるのである。めっき金属の厚みとしては、５〜３０μｍの間で形成されることが望ましい。
【００６６】
スルーホール用通孔３６α内に充填する充填樹脂２３は、樹脂材料、硬化剤、粒子などからなるものを絶縁材料を用いることが望ましい。粒子としては、シリカ、アルミナなどの無機粒子、金、銀、銅などの金属粒子、樹脂粒子などの単独もしくは複合で配合させる。粒径が０．１〜５μｍのものを同一径もしくは、複合径のもの混ぜたものを用いることができる。樹脂材料としては、エポキシ樹脂（例えば、ビスフェノール型エポキシ樹脂、ノボラック型エポキシ樹脂など）、フェノール樹脂などの熱硬化性樹脂、感光性を有する紫外線硬化樹脂、熱可塑性樹脂などが単一もしくは混合したものを用いることができる。硬化剤としては、イミダゾール系硬化剤、アミン系硬化剤などを用いることができる。それ以外にも、硬化安定剤、反応安定剤、粒子等を含まれていてもよい。導電性材料を用いてもよい。この場合は、金属粒子、樹脂成分、硬化剤などからなるものが導電性材料である導電性ペーストとなる。場合によっては、半田、絶縁樹脂などの絶縁材料の表層に導電性を有する金属膜を形成したものなどを用いてもよい。めっきでスルーホール用通孔３６α内を充填することも可能である。導電性ペーストは硬化収縮がなされるので、表層に凹部を形成してしまうことがあるからである。
【００６７】
（８）最外層の導体回路の形成
全体にめっき膜を被覆することで、スルーホール３６Ｓ、３６Ｅ、３６Ｐの直上に蓋めっき２５を形成してもよい（図３（Ａ））。その後、テンティング法、エッチング工程等を経て、外層の導体回路３４、３４Ｐ、３４Ｅを形成する（図３（Ｂ））。これにより、多層金属コア基板３０を完成する。
このとき、図示されていないが多層金属コア基板の内層の導体層１６Ｐ、１６Ｅ等との電気接続を、バイアホールやブラインドスルーホール、ブラインドバイアホールにより行ってもよい。このときの多層金属コア基板の厚みは、５００μｍ〜８００μｍの間で形成させるのがよい。この場合には７００μｍで形成させた。
【００６８】
（９）導体回路３４を形成した多層金属コア基板３０を黒化処理、および、還元処理を行い、導体回路３４、導体層３４Ｐ、３４Ｅの全表面に粗化面３４βを形成する（図３（Ｃ））。
【００６９】
（１０）多層金属コア基板３０の導体回路非形成部に樹脂充填材４０の層を形成する（図４（Ａ））。
【００７０】
（１１）上記処理を終えた基板の片面を、ベルトサンダー等の研磨により、導体層３４Ｐ、３４Ｅの外縁部に樹脂充填材４０が残らないように研磨し、次いで、上記研磨による傷を取り除くため、導体層３４Ｐ、３４Ｅの全表面（スルーホールのランド表面を含む）にバフ等でさらに研磨を行った。このような一連の研磨を基板の他方の面についても同様に行った。次いで、１００℃で１時間、１５０℃で１時間の加熱処理を行って樹脂充填材４０を硬化した（図４（Ｂ））。
なお、導体回路間の樹脂充填を行わなくてもよい。この場合は、樹脂層で絶縁層の形成と導体回路間の充填を行う。
【００７１】
（１２）上記多層金属コア基板３０に、エッチング液を基板の両面にスプレイで吹きつけて、導体回路３４、導体層３４Ｐ、３４Ｅの表面とスルーホール３６Ｓ、３６Ｅ、３６Ｐのランド表面と内壁とをエッチング等により、導体回路の全表面に粗化面３６竈を形成した（図４（Ｃ））。
【００７２】
（１３）多層金属コア基板３０の両面に、層間絶縁層用樹脂フィルム５０繃を基板上に載置し、仮圧着して裁断した後、さらに、真空ラミネーター装置を用いて貼り付けることにより層間絶縁層を形成した（図５（Ａ））。
【００７３】
このとき、層間絶縁層用樹脂フィルムには、熱硬化性樹脂、熱可塑性樹脂、感光性樹脂、あるいはそれらの樹脂複合体（例えば、熱硬化性樹脂と熱可塑性樹脂との樹脂複合体）を用いることができる。熱硬化性樹脂としては、エポキシ樹脂、ポリイミド樹脂、フェノール樹脂などを用いることができる。熱可塑性樹脂としては、フェノキシ樹脂、ポリエーテルスルフォン（ＰＥＳ）などを用いることができる。感光性樹脂としては、（メタ）アクリル基が配合された樹脂などを用いることができる。樹脂以外にも、必要に応じて、硬化剤、樹脂、無機、金属などからなる粒径が０．１μｍ〜２０μｍ程度の粒子、反応安定剤などを配合させている。
【００７４】
（１４）次に、層間絶縁層上に、厚さ１．２ｍｍの貫通孔が形成されたマスクを介して、波長１０．４μｍのＣＯ2 ガスレーザにて、ビーム径４．０ｍｍ、トップハットモード、パルス幅７．９μ秒、マスクの貫通孔の径１．０ｍｍ、１ショットの条件で層間絶縁層５０に、直径８０μｍのバイアホール用開口５０ａを形成した（図５（Ｂ））。
【００７５】
（１５）多層金属コア基板３０の表層に粗化層を設ける。粗化液としては、硫酸、酢酸などの酸あるいはクロム酸、過マンガン酸などの酸化剤などを用いることができる。その一例として、多層金属コア基板３０を、６０ｇ／ｌの過マンガン酸を含む８０℃の溶液に１０分間浸漬し、バイアホール用開口５０ａの内壁を含む層間絶縁層５０の表面に粗化面５０痾を形成した（図５（Ｃ））。粗化面は０．１〜５μｍの間で形成した。
【００７６】
（１６）次に、上記処理を終えた多層金属コア基板３０を、中和溶液（シプレイ社製）に浸漬してから水洗いした。さらに、粗面化処理（粗化深さ３μｍ）した該基板の表面に、パラジウムなどの触媒を付与することにより、層間絶縁層の表面およびバイアホール用開口の内壁面に触媒核を付着させた。
【００７７】
（１７）次に、無電解銅めっき水溶液中に、触媒を付与した基板を浸漬して、粗面全体に厚さ０．６〜３．０μｍの無電解銅めっき膜を形成し、バイアホール用開口５０ａの内壁を含む層間絶縁層５０の表面に無電解銅めっき膜５２が形成された基板を得る（図５（Ｄ））。
【００７８】
（１８）無電解銅めっき膜５２が形成された基板に市販の感光性ドライフィルムを張り付け、マスクを載置して、現像処理することにより、めっきレジスト５４を設けた（図６（Ａ））。めっきレジストの厚みは、１０〜３０μｍの間を用いた。
【００７９】
（１９）ついで、多層金属コア基板３０に電解めっきを施し、めっきレジスト５４非形成部に、厚さ７〜２５μｍの電解銅めっき膜５６を形成した（図６（Ｂ））。
【００８０】
（２０）さらに、めっきレジストを５％程度のＫＯＨで剥離除去した後、そのめっきレジスト下の無電解めっき膜を硫酸と過酸化水素との混合液でエッチング処理して溶解除去し、独立の導体回路５８及びバイアホール（フィルドバイアホール）６０とした（図６（Ｃ））。
【００８１】
（２１）ついで、上記（１２）と同様の処理を行い、導体回路５８及びバイアホール６０の表面に粗化面５８痾、６０痾を形成した。上層の導体回路５８の厚みは５〜２５μｍで形成された。今回の厚みは１５μｍの厚みであった（図６（Ｄ））。
【００８２】
（２２）上記（１４）〜（２１）の工程を繰り返すことにより、さらに上層の層間絶縁層１５０、導体回路１５８、バイアホール１６０を形成し、多層配線板を得た（図７（Ａ））。
【００８３】
（２３）次に、多層配線基板の両面に、ソルダーレジスト組成物７０を１２〜３０μｍの厚さで塗布し、７０℃で２０分間、７０℃で３０分間の条件で乾燥処理を行った後（図７（Ｂ））、ソルダーレジスト開口部のパターンが描画された厚さ５ｍｍのフォトマスクをソルダーレジスト層７０に密着させて１０００ｍＪ／ｃｍ2 の紫外線で露光し、ＤＭＴＧ溶液で現像処理し、２００μｍの直径の開口７１を形成した（図７（Ｃ））。
そして、さらに、８０℃で１時間、１００℃で１時間、１２０℃で１時間、１５０℃で３時間の条件でそれぞれ加熱処理を行ってソルダーレジスト層７０を硬化させ、開口７１を有し、その厚さが１０〜２５μｍのソルダーレジストパターン層７０を形成した。また、ソルダーレジスト層には市販されているフィルムタイプのものを用いてもよい。
【００８４】
（２４）次に、ソルダーレジスト層７０を形成した基板を、無電解ニッケルめっき液に浸漬して、開口部７１に厚さ５μｍのニッケルめっき層７２を形成した。さらに、その基板を無電解金めっき液に浸漬して、ニッケルめっき層７２上に、厚さ０．０３μｍの金めっき層７４を形成した（図７（Ｄ））。ニッケル−金層以外にも、スズ、貴金属層（金、銀、パラジウム、白金など）の単層を形成してもよい。
【００８５】
（２５）この後、基板のＩＣチップを載置する面のソルダーレジスト層７０の開口７１に、スズ−鉛を含有する半田ペーストを印刷し、さらに他方の面のソルダーレジスト層の開口にスズ−アンチモンを含有する半田ペーストなどを印刷した後、２００℃でリフローすることにより外部端子を形成し、はんだバンプ７６Ｕ、７６Ｄを有する多層プリント配線板を製造した（図８）。
【００８６】
図１８は、第１実施例の改変例に係る多層プリント配線板を示している。図８を参照して上述した第１実施例では、多層金属コア基板３０に２層の内層導体層が設けられた。これに対して、改変例では４層の内層導体層１６Ｅ、１６ＥＥ、１６Ｐ、１６ＰＰが設けられている。この改変例でも、隣接する導体層間の絶縁層１８ａ、１８ｃ、１４ａ、１４ｂ、１８ｂ、１８ｄの厚みＤ５、Ｄ６、Ｄ７、Ｄ８、Ｄ９、Ｄ１０をＤ５＝Ｄ６＝Ｄ７＝Ｄ８＝Ｄ９＝Ｄ１０に設定することで、第１実施例と同様な効果を得ている。
【００８７】
[第１実施例−２]
第１実施例と同様であり、表層の導体回路と内層の導体回路との導体間の絶縁層の厚みを３００μｍで形成した以外は全て同じである。
【００８８】
[第１実施例−３]
第１実施例と同様であり、表層の導体回路と内層の導体回路との導体間の絶縁層の厚みを１００μｍで形成した以外は全て同じである。
【００８９】
[第１実施例−４]
第１実施例と同様であり、表層の導体回路と内層の導体回路との導体間の絶縁層の厚みを３０μｍで形成した以外は全て同じである。
【００９０】
[第１実施例−５]
第１実施例と同様であり、表層の導体回路と内層の導体回路との導体間の絶縁層の厚みを１５μｍで形成した以外は全て同じである。
【００９１】
[比較例１]
図１９を参照して上述した従来技術に係る両面（表面）に導体回路を配置したプリント配線板（コア基板の厚み８００μｍ）。
【００９２】
[比較例２]
第１実施例−１と同様であるが、一方（表側）の導体回路と内層の導体回路間の絶縁層の厚みを３００μｍで、反対側（裏側）の表層の導体回路と内層の導体回路の導体間の絶縁層の厚みを３５０μｍに設定した。
【００９３】
[参考例１]
第１実施例−１と同様であり、表層の導体回路と内層の導体回路との導体間の絶縁層の厚みを３５０μｍで形成した以外は全て同じである。
【００９４】
[参考例２]
第１実施例−１と同様であり、表層の導体回路と内層の導体回路との導体間の絶縁層の厚みを１０μｍで形成した以外は全て同じである。
【００９５】
[参考例３−１]
第１実施例−１と同様であるが、スルーホールの配置を千鳥により形成させて、グランド用スルーホールと電源用スルーホールとの距離を６００μｍ、５００μｍ、４００μｍ、３００μｍ、１００μｍ、７５μｍ、６０μｍの計７種類のものを形成した。このスルーホール以外は全て同じである。
【００９６】
[参考例３−２]
第１実施例−１と同様であるが、スルーホールの配置を千鳥により形成させて、グランド用スルーホールと電源用スルーホールとの距離を６５０μｍのものを形成した。このスルーホール以外は全て同じである。
【００９７】
[参考例３−３]
第１実施例−１と同様であるが、スルーホールの配置を千鳥により形成させて、グランド用スルーホールと電源用スルーホールとの距離を５０μｍのものを形成した。このスルーホール以外は全て同じである。
【００９８】
[参考例３−４]
第１実施例−１と同様であるが、スルーホールをランダムに配置させて、グランド用スルーホールと電源用スルーホールとの最短距離を６５０μｍ、６００μｍ、５５０μｍのものを形成した。このスルーホール以外は全て同じである。
【００９９】
[参考例４−１]
第１実施例−１と同様であるが、スルーホールの配置を格子状により形成させて、グランド用スルーホールと電源用スルーホールとの距離を６００μｍ、５００μｍ、４００μｍ、３００μｍ、１００μｍ、７５μｍ、６０μｍの計７種類のものを形成した。このスルーホール以外は全て同じである。
【０１００】
[参考例４−２]
第１実施例−１と同様であるが、スルーホールの配置を格子状により形成させて、グランド用スルーホールと電源用スルーホールとの距離を６５０μｍのものを形成した。このスルーホール以外は全て同じである。
【０１０１】
[参考例４−３]
第１実施例−１と同様であるが、スルーホールの配置を格子状により形成させて、グランド用スルーホールと電源用スルーホールとの距離を５０μｍのものを形成した。このスルーホール以外は全て同じである。
【０１０２】
第１実施例群、比較例、参考例群により、それぞれループインダクタンスと高温高湿下における信頼性試験を行った。この結果を、図１２中の図表及び、図１７のグラフに示す。図中で、ループインダクタンスの値は１０mm平方当たりの値であり、信頼性試験（ヒートサイクル：（−６５℃／３分）⇔（１３５℃／３分を１サイクルとし、１５００サイクルと、３０００サイクル行った）中で、導通試験の結果において、○は抵抗変化率が１０％以内を、×は抵抗変化率が１０％を越えるものを表している。但し、図１２の測定結果は、スルーホールの要因によるバラツキが出ないように、スルーホールが形成されていない領域を選んで測定を行った。これにより、スルーホールピッチによる要因を排除させている。
【０１０３】
ここで、第１実施例での多層プリント配線板のスルーホールの格子配置、第１実施例の改変例の千鳥配置、参考例１、参考例３、比較例１のスルーホールのランダム配置に対するスルーホールの距離（スルーホールピッチ）、スルーホール径を変えて、ループインダクタンスを測定した結果を図１３に示している。ここで、ここで、ループインダクタンスの値は、１０mm平方当たりの値である。
【０１０４】
ループインダクタンスが９０ｐＨ以下であることが、ＩＣチップへの電源供給能力を向上させて、ノイズや遅延などを引き起こさなくなる。そのために、コア基板における隣り合う導体間の絶縁層の厚みが３００μｍ以下であることが望ましい範囲となる。信頼性試験を行っても、導通結果においても、短絡などの発生が確認されなかったので、電気接続性も問題がなかった。
比較例１では、ループインダクタンスが１００ｐＨを越えていた。比較例２では、導体回路間距離が異なっているものを配置させた。そのために、多層にして得られる効果が相殺されたために９０ｐＨを越えていた。
参考例１では、導体間の距離が３５０であったので、９０ｐＨを越えたと思われる。参考例２では、ループインダクタンス自体は問題がなかったが、信頼性結果試験において、短絡を引き起こした。やはり、導体層間の絶縁の確保が困難であり、導体層の一部が接触してしまったのである。そのために、信頼性試験の結果が悪かったのである。それを考慮すると、導体層間の絶縁層の厚みが、１５〜３００μｍであることがより望ましいということとなる。この範囲であれば、信頼性という点でもより望ましいこととなる。この範囲であれば、信頼性という点でも優れているからである。
さらに、導体層間の絶縁層の厚みが、３０〜２５０μｍであることがもっと望ましいということとなる。この範囲であれば、信頼性の結果も長期に渡り安定しているし、インダクタンスも確実に９０ｐＨ以下になるからである。
【０１０５】
図１３はスルーホールの配置とループインダクタンスの関係を示す。この結果より、スルーホールピッチを変えても、ランダム配置（グランド用スルーホールと電源用スルーホールが隣り合わない構造）よりも、格子配置もしくは千鳥配置（グランド用スルーホールと電源用スルーホールが隣り合う構造）の方がループインダクタンスを低減することができるのである。それにより、ノイズを抑えることができ、誤動作や遅延などを抑えられるのであり、相互インダクタンス自体も小さくすることができるのである。
【０１０６】
また、スルーホールピッチに関係なく、格子配置であることが、千鳥配置に比べるとループインダクタンスを低減させることができるのである。そのために、電気特性上は優位であるといえる。図１３の値からも、グランド用スルーホール３６Ｅと電源用スルーホール３６Ｐとは対角線上に配置した方が、相互インダクタンス値を下げることができる。
【０１０７】
また、スルーホールピッチを変えて、ループインダクタンスをシュミレートから算出した、その結果を図１４（Ｂ）及び図１５に示した。ここで、ループインダクタンスの値は、１０mm平方当たりの値である。
さらに、格子配置および千鳥配置での各スルーホールピッチにおける基板での高温高湿条件下（８５℃、湿度８５ｗｔ％、５００ｈｒ実施）における信頼性試験をして、スルーホールの絶縁層のクラックの有無、導通試験での抵抗値測定結果を図１４（Ａ）に示した。
【０１０８】
ループインダクタンスが７５ｐＨ以下になると、周波数が３ＧＨｚのＩＣチップにおける基板の特性を向上させることができるのである。この場合、図１３の結果より、スルーホールピッチが６００μｍ以下でそのような結果になるのである。また、図１４（Ａ）の結果を考慮すると、６０〜６００μｍの間であることが適正に電気特性を向上させることができ、信頼性を確保させることができるといえる。
また、格子配置に形成した場合には、スルーホールピッチが６０〜６００μｍの間であることが望ましい。その範相であれば、ループインダクタンスを一定レベル（７５ｐＨ）以下に低減させることができるし、信頼性も確保できるからである。さらに、スルーホールピッチが７５〜５５０μｍの間であれば、該当のループインダクタンス領域の内部であると同時に確実に信頼性を確保することができる。
【０１０９】
また、千鳥配置に形成した場合には、スルーホールピッチが６０〜５５０μｍの間であることが望ましい。その範囲であれば、ループインダクタンスを一定レベル（７５ｐＨ）以下に低減させることができるし、信頼性も確保できるからである。さらに、スルーホールピッチが７５〜５００μｍの間であれば、該当のループインダクタンス領域の内部であると同時に確実に信頼惟を確保することができる。
【０１１０】
また、ループインダクタンスが６０ｐＨ以下になると、周波数が５ＧＨｚのＩＣチップにおける基板の特性を向上させることができるのである。この場合、図１３の結果より、スルーホールピッチが５５０μｍ以下でそのような結果になるのである。また、図１４（Ａ）の結果を考慮すると、６０〜５５０μｍの間であることが適正に電気特性を向上させることができ、信頼性を確保させることができるといえる。
【０１１１】
なお、格子配置に形成した場合には、スルーホールピッチが６０〜５５０μｍの間であることが望ましい。その範囲であれば、ループインダクタンスのレベルを６０ｐＨ以下に低減させることができるし、信頼性も確保できるからである。さらに、スルーホールピッチが７５〜５００μｍの間であれば、該当のループインダクタンス領域の内部であると同時に確実に信頼性を確保することができる。
【０１１２】
また、千鳥配置に形成した場合には、スルーホールピッチが６０〜４２５μｍの間であることが望ましい。その範囲であれば、ループインダクタンスのレベルを６０ｐＨ以下に低減させることができるし、信頼性も確保できるからである。さらに、スルーホールピッチが７５〜５００μｍの間であれば、該当のループインダクタンス領域の内部であると同時に確実に信頼性を確保することができる。
【０１１３】
さらにループインダクタンスが５５ｐＨ以下になると、ＩＣチップの周波数に関係なく基板の特性を向上させることができるのである。この場合、図１３の結果より、スルーホールピッチが４５０μｍ以下でそのような結果になるのである。また、図１４（Ａ）の結果を考慮すると、６０〜４５０μｍの間であることが適正に電気特性を向上させることができ、信頼性を確保させることができるといえる。
【０１１４】
なお、格子配置に形成した場合には、スルーホールピッチが６０〜４５０μｍの間であることが望ましい。その範囲であれば、ループインダクタンスのレベルを６０ｐＨ以下に低減させることができるし、信頼性も確保できるからである。さらに、スルーホールピッチが７５〜４２５μｍの間であれば、該当のループインダクタンス領域の内部であると同時に確実に信頼性を確保することができる。
【０１１５】
また、千鳥配置に形成した場合には、スルーホールピッチが６０〜４００μｍの間であることが望ましい。その範囲であれば、ループインダクタンスのレベルを６０ｐＨ以下に低減させることができるし、信頼性も確保できるからである。さらに、スルーホールピッチが７５〜３５０μｍの間であれば、該当のループインダクタンス領域の内部であると同時に確実に信頼性を確保することができる。
【０１１６】
それぞれの実施例と比較例と参考例の基板に周波数３．１ＧＨｚのＩＣチップを実装して、同じ量の電源を供給す。起動させたときの電圧の降下した量をシュミレートした結果を図１６に示した。ここでは、導体層の導体の厚みについて検証を行った。横軸に（コアの電源層又はアース層の少なくとも一方の導体の厚み／層間絶縁層の導体回路層の導体の厚みの比）を設定し、縦軸に最大電圧降下量（Ｖ）を設定して
導体の厚みが薄いとビア接続部での剥がれが生じ、信頼性が低下してしまう。しかしながら、コア基板の電源層又はアース層の少なくとも一方の導体の厚み／層間絶縁層の導体層の導体の厚みの比が１．２を越えると、信頼性が向上する。一方、コア基板の電源層の導体又はアース層の導体の厚み／層間絶縁層の導体層の導体の厚み比が４０を越えると、上層の導体回路における不具合（例えば、上層の導体回路への応力の発生やうねりによる密着性の低下を引き起こしてしまう等）のため、信頼性が低下してしまった。
電源電圧１．０Ｖのとき、変動許容範囲±１０％であれば、電圧の挙動が安定していることになり、ＩＣチップの誤動作などを引き起こさない。つまり、この場合、電圧降下量が０．１Ｖ以内であれば、電圧降下によるＩＣチップへの誤動作等を引き起こさないことになる。０．０９Ｖ以下であれば、安定性が増すことになる。それ故に、（コア基板の電源層又はアース層の少なくとも一方の導体の厚み／層間絶縁層の導体層の導体の厚み）の比が１．２を越えるの良いのである。さらに、１．２≦（コア基板の電源層又はアース層少なくとも一方の導体の厚み／層間絶縁層の導体層の導体の厚み）≦４０の範囲であれば、数値が減少傾向にあるため、その効果が得やすいということとなる。また、４０＜（コア基板の電源層又はアース層少なくとも一方の導体の厚み／層間絶縁層の導体層の導体の厚み）という範囲では、電圧降下量が上昇している。
更に、５．０＜（コア基板の電源層又はアース層の少なくとも一方の導体の厚み／層間絶縁層の導体層の導体の厚み）≦４０未満であれば、電圧降下量がほぼ同じであることから、安定しているということとなる。つまり、この範囲が、最も望ましい比率範囲であるということが言える。
【図面の簡単な説明】
【０１１７】
【図１】本発明の第１実施例の多層プリント配線板の製造方法を示す工程図である。
【図２】第１実施例の多層プリント配線板の製造方法を示す工程図である。
【図３】第１実施例の多層プリント配線板の製造方法を示す工程図である。
【図４】第１実施例の多層プリント配線板の製造方法を示し工程図である。
【図５】第１実施例の多層プリント配線板の製造方法を示す工程図である。
【図６】第１実施例の多層プリント配線板の製造方法を示す工程図である。
【図７】第１実施例の多層プリント配線板の製造方法を示す工程図である。
【図８】第１実施例に係る多層プリント配線板の断面図である。
【図９】第１実施例に係る多層プリント配線板にＩＣチップを載置した状態を示す断面図である。
【図１０】図１０（Ａ）は、図８中の多層プリント配線板のＸ−Ｘ横断図であり、図１０（Ｂ）は、第１実施例の改変例に係る多層プリント配線板の横断面図である。
【図１１】図１１（Ａ）は、図１０（Ａ）中の点線Ｉ部を拡大して示す説明図であり、図１１（Ｂ）は、図１１（Ｂ）中の点線ＩＩ部を拡大して示す説明図であり、図１１（Ｃ）は、ピッチを示す説明図である。
【図１２】第１実施例群、比較例、参考例群により、それぞれループインダクタンスと高温高湿下における信頼性試験を行った結果を示す図表である。
【図１３】スルーホールの格子配置、千鳥配置に対するループインダクタンスをシュミレートした結果を示した図表である。
【図１４】（Ａ）、（Ｂ）は、スルーホールの格子配置、千鳥配置に対するループインダクタンスをシュミレートした結果を示した図表である。
【図１５】スルーホールの格子配置、千鳥配置に対するループインダクタンスをシュミレートした結果を示したグラフである。
【図１６】（コアの電源層又はアース層の少なくとも一方の厚み／層間絶縁層の導体層の厚みの比）に対する最大電圧降下量（Ｖ）をシュミレートした結果を示したグラフである。
【図１７】第１実施例群、比較例、参考例群により、それぞれループインダクタンスを算出した結果を示すグラフである。
【図１８】第１実施例の改変例に係る多層プリント配線板の断面図である。
【図１９】従来技術に係る多層プリント配線板の断面図である。
【符号の説明】
【０１１８】
１２  金属層（金属板）
１４ａ  表面側絶縁層
１４ｂ  裏面側絶縁層
１６Ｐ  導体層（第２導体層）
１６Ｅ  導体層（第１導体層）
１８ａ  表面側絶縁層
１８ｂ  裏面側絶縁層
３０  多層金属コア基板
３２  銅箔
３４  導体回路
３４Ｐ  導体層
３４Ｅ  導体層
３６Ｐ  電源用スルーホール
３６Ｅ  グランド用スルーホール
４０  樹脂充填層
５０  層間絶縁層
５８  導体回路
６０  バイアホール
７０  ソルダーレジスト層
７１  開口
７６Ｕ、７６Ｄ  半田バンプ
９０  ＩＣチップ
９４  ドータボード
９８  チップコンデンサ
【図１】
2005183466.tif 000003
【図２】
2005183466.tif 000004
【図３】
2005183466.tif 000005
【図４】
2005183466.tif 000006
【図５】
2005183466.tif 000007
【図６】
2005183466.tif 000008
【図７】
2005183466.tif 000009
【図８】
2005183466.tif 000010
【図９】
2005183466.tif 000011
【図１０】
2005183466.tif 000012
【図１１】
2005183466.tif 000013
【図１２】
2005183466.tif 000014
【図１３】
2005183466.tif 000015
【図１４】
2005183466.tif 000016
【図１５】
2005183466.tif 000017
【図１６】
2005183466.tif 000018
【図１７】
2005183466.tif 000019
【図１８】
2005183466.tif 000020
【図１９】
2005183466.tif 000021